(57)【要約】【課題】思いどおりに泳がせることが容易なリップ付きのルアー。【解決手段】ボディー２の前端部にリップ３を有するルアー１であって、リップ３がリップ３の厚さ方向Ｑへ延びる支軸２７を介してボディー２に旋回可能に取り付けられる。【選択図】図２
2005192505.tif 000002
【特許請求の範囲】
【請求項１】
前端部がラインを取り付け可能に形成されるとともに後端部がフックを取り付け可能に形成されているボディーの前記前端部に、前記後端部から前記前端部へ向かう方向と所要角度で交差して延びるリップが形成されているルアーにおいて、
前記リップが板状体のものであって、前記後端部から前記前端部ヘ向かう前記方向と前記所要角度で交差する長さ方向と、前記長さ方向に直交する厚さ方向と、前記長さ方向と厚さ方向とに直交する幅方向とを有し、前記ボディーに対して前記厚さ方向へ延びる支軸を介して前記支軸を中心に旋回可能に取り付けられていることを特徴とする前記ルアー。
【請求項２】
前記板状体が前記前端部から前記ボディーの外側へ延びる前方部分と前記前端部から前記ボディーの内側へ延びる後方部分とを有し、前記後方部分が前記リップの旋回を可能とするように前記支軸を介して前記ボディーに取り付けられており、前記後方部分の前記長さ方向における端部が、前記リップの旋回角度を規制するように、前記長さ方向において作用するばねを介して前記ボディーの所要部位に対して離脱可能に係合している請求項１記載のルアー。
【請求項３】
前記ボディーは、前記リップの前記後方部分を進入させる溝部を有し、前記リップの前記後方部分には前記長さ方向に長い貫通孔が形成され、前記支軸が前記貫通孔を通って前記リップの前記厚さ方向において対向する前記溝部の対向側壁のそれぞれに固定され、前記貫通孔では前記貫通孔の後端と前記支軸との間に前記ばねが介在して前記リップを前記前方部分から前記後方部分へ向かう方向へ付勢し、前記リップにおける前記後方部分の端部と前記端部に対向する前記ボディーにおける前記溝部の底とのそれぞれには、前記リップの旋回角度の規制を可能とするように前記ばねの付勢下に互いに離脱可能に嵌合する凸部と凹部とのいずれかが形成されている請求項２記載のルアー。
【請求項４】
前記ボディーは、前記リップの前記後方部分を進入させる溝部を有し、前記リップにおける前記後方部分の端部と、前記端部と対向する前記ボディーにおける前記溝部の底とのうちの一方には前記ばねの付勢下にもう一方に向かって退却可能に進出する凸部が形成され、前記もう一方には進出した前記凸部との嵌合が可能な凹部が前記リップの旋回方向に複数形成され、前記凸部が前記凹部のいずれかに嵌合することによって前記リップの旋回角度の規制が可能である請求項２記載のルアー。
【請求項５】
前記板状体が前記前端部から前記ボディーの外側へ延びる前方部分と前記前端部から前記ボディーの内側へ延びる後方部分とを有し、前記後方部分が前記リップの旋回を可能とするように前記支軸を介して前記ボディーに取り付けられており、前記後方部分の前記厚さ方向における片面には前記支軸を中心とする同一円周上に複数の凹部が形成される一方、前記ボディーは前記リップの前記後方部分を進入させる溝部を有し、前記リップの前記厚さ方向において対向する前記溝部の対向側壁の一方からは、ばねの付勢下に前記片面に向かって突出して前記凹部に離脱可能に嵌合する凸部が形成されている請求項１記載のルアー。
【請求項６】
前記ばねがコイルばねであって、その圧縮状態を前記ボディーの外側から調整可能である請求項５記載のルアー。
【発明の詳細な説明】
【技術分野】
【０００１】
この発明は、ルアーフィッシングに使用するルアーに関し、より詳しくはリップを有するルアーに関する。
【背景技術】
【０００２】
従来、ルアーフィッシングに使用するルアーとして、リップを有するものは周知である。例えば、高田弘之著「ルアー＆ロッド手作り入門」（廣済堂出版、昭和５９年４月１５日発行、非特許文献１）の第６４，６５頁には、リップの機能として「大部分のプラグについているリップは、水の抵抗を受けプラグを潜行させたり、左右に泳がせたりする働きを持っている。つまりリップの表面積が大きいとアクションも大きくなり、ボディーへの取付け角度（差し込み角度）が、水平に対し鋭角になれば、なるほど、深く潜水できるという具合だ。一般にフローティング・ダイビング・タイプなど表層を狙うタイプのリップは、左右の動きを重点に、角度も大きく、直角に作られている。逆に深く潜らせたいデイープ・ランナー・タイプのものは、鋭角にしかも、水平に近く長めのリップがつけられている。」と説明されている。また、前記文献の７８，７９頁には、リップの作り方として、厚さ２ミリ程度のクリアなプラスチック板を切り抜いて、これを瞬間接着剤でボディーに固定すればよいことが記載されている。
【非特許文献１】高田弘之著「ルアー＆ロッド手作り入門」（廣済堂出版、昭和５９年４月１５日発行）
【発明の開示】
【発明が解決しようとする課題】
【０００３】
非特許文献１に記載されているように、リップはルアーのボディーに固定されて、ルアーを潜行させたり、左右に泳がせたりするときに効果を発揮するものであるが、そのルアーを思いどおりに泳がせるには、ルアーにつないだラインをうまく操作することによってラインに対するリップの向きをそれなりに変化させなければならない。そうした操作に代えて、またはそうした操作に加えて、ボディーに対するリップの取付け角度が異なる複数のルアーを用意するということもある。しかし、ラインをうまく操作することには熟練を要するし、複数のルアーを用意するということには費用がかかるから、ルアーを使用する初心者にとってはいずれも好ましいことではない。
【０００４】
この発明が課題とするところは、ルアーを使用する熟練者は勿論、初心者であっても、思いどおりに泳がせることが簡単なリップ付きのルアーを提供することにある。
【課題を解決するための手段】
【０００５】
前記課題を解決するために、この発明が対象とするのは、前端部がラインを取り付け可能に形成されるとともに後端部がフックを取り付け可能に形成されているボディーの前記前端部に、前記後端部から前記前端部へ向かう方向と所要角度で交差して延びるリップが形成されているルアーである。
【０００６】
かかるルアーにおいて、この発明が特徴とするところは、前記リップが板状体のものであって、前記後端部から前記前端部ヘ向かう前記方向と前記所要角度で交差する長さ方向と、前記長さ方向に直交する厚さ方向と、前記長さ方向と厚さ方向とに直交する幅方向とを有し、前記ボディーに対して前記厚さ方向へ延びる支軸を介して前記支軸を中心に旋回可能に取り付けられていること、にある。
【０００７】
この発明の実施態様の一つにおいて、前記板状体が前記前端部から前記ボディーの外側へ延びる前方部分と前記前端部から前記ボディーの内側へ延びる後方部分とを有し、前記後方部分が前記リップの旋回を可能とするように前記厚さ方向へ延びる支軸を介して前記ボディーに取り付けられており、前記後方部分の前記長さ方向における端部が、前記リップの旋回角度を規制するように、前記長さ方向において作用するばねを介して前記ボディーの所要部位に対して離脱可能に係合している。
【０００８】
この発明の実施態様の他の一つにおいて、前記ボディーは、前記リップの前記後方部分を進入させる溝部を有し、前記リップの前記後方部分には前記長さ方向に長い貫通孔が形成され、前記支軸が前記貫通孔を通って前記リップの前記厚さ方向において対向する前記溝部の対向側壁のそれぞれに固定され、前記貫通孔では前記貫通孔の後端と前記支軸との間に前記ばねが介在して前記リップを前記前方部分から前記後方部分へ向かう方向へ付勢し、前記リップにおける前記後方部分の端部と前記端部に対向する前記ボディーにおける前記溝部の底とのそれぞれには、前記リップの旋回角度の規制を可能とするように前記ばねの付勢下に互いに離脱可能に嵌合する凸部と凹部とのいずれかが形成されている。
【０００９】
この発明の実施態様のさらに他の一つにおいて、前記ボディーは、前記リップの前記後方部分を進入させる溝部を有し、前記リップにおける前記後方部分の端部と、前記端部と対向する前記ボディーにおける前記溝部の底とのうちの一方には前記ばねの付勢下にもう一方に向かって退却可能に進出する凸部が形成され、前記もう一方には進出した前記凸部との嵌合が可能な凹部が前記リップの旋回方向に複数形成され、前記凸部が前記凹部のいずれかに嵌合することによって前記リップの旋回角度の規制が可能である。
【００１０】
この発明の実施態様のさらに他の一つにおいて、前記板状体が前記前端部から前記ボディーの外側へ延びる前方部分と前記前端部から前記ボディーの内側へ延びる後方部分とを有し、前記後方部分が前記リップの旋回を可能とするように前記支軸を介して前記ボディーに取り付けられており、前記後方部分の前記厚さ方向における片面には前記支軸を中心とする同一円周上に複数の凹部が形成される一方、前記ボディーは前記リップの前記後方部分を進入させる溝部を有し、前記リップの前記厚さ方向において対向する前記溝部の対向側壁の一方からは、ばねの付勢下に前記片面に向かって突出して前記凹部に離脱可能に嵌合する凸部が形成されている。
【００１１】
この発明の実施態様のさらに他の一つにおいて、前記ばねがコイルばねであって、その圧縮状態を前記ボディーの外側から調整可能である。  
【発明の効果】
【００１２】
この発明に係るルアーは、それが泳がせたい方向へ進むように、リップをボディーに対して予め所要角度だけ旋回させておくことができる。そのようなルアーでは、ルアーを泳がせるためのライン操作についての習熟が不要になる。一方、ラインの操作に習熟したものであれば、ルアーを一層巧みに操作できるようになる。
【００１３】
また、この発明の一実施態様によれば、リップを形成している板状体の後方部分がルアーのボディー内側へ延びており、リップが旋回可能となるように支軸を介してその後方部分がボディーに取り付けられる。リップの後方部分はまた、ボディーの所要部位に対して離脱可能に係合するから、その係合によってリップの旋回角度の規制が可能になる。
【００１４】
この発明の他の実施態様によれば、リップが前方部分から後方部分へ向かう方向へばねで付勢され、そのリップの後端とボディーにおける溝部の底とに互いに離脱可能に嵌合する凸部と凹部とが形成される。これら凸部と凹部との嵌合によって、ルアーの使用中にリップが徒に旋回することを防止できる。
【００１５】
この発明のさらに他の実施態様によれば、リップの後端とボディーに形成された溝部の底とのうちの一方にはばねの付勢下に進出する凸部が形成され、もう一方にはその凸部が嵌合可能な複数の凹部が形成されるから、その凸部を凹部のいずれかに嵌合させることによって、リップの旋回角度を確実かつ簡単に規制することができる。
【００１６】
この発明のさらに他の実施態様によれば、リップの後方部分の片面には支軸を中心とする同一円周上に複数の凹部が形成され、ボディーはリップの後方部分を進入させる溝部を有し、その溝部の対向側壁の一方からはばねの付勢下に可動凸部が突出し、前記可動凸部がリップの凹部のいずれかに嵌合することによってリップの旋回角度を規制することができる。この態様のルアーでは、ボディーに対してリップの厚さ方向からばねを取り付けることが可能になる。
【００１７】
この発明のさらに他の実施態様によれば、付勢ばねがコイルばねであって、このコイルばねがボディーに対してリップの厚さ方向から取り付けられることによって、そのコイルばねの圧縮の程度をボディーの外側から調整することが容易になる。
【発明を実施するための最良の形態】
【００１８】
添付の図面を参照して、この発明に係るルアーの詳細を説明すると、以下のとおりである。
【００１９】
図１に斜視図で示されたルアー１は、ボディー２とリップ３とを有する。ボディー２は、ライン（図示せず）を取り付けるためのアイレット４を備えた前端部６と、フック７を取り付けるためのアイレット８を備えた後端部９とを有し、前端部６と後端部９との中間部分１１もフック１２を取り付けるためのアイレット１３を備えている。かかるボディー２の前端部６には開口１６が形成され、その開口１６からはリップ３が水平に延びた双頭矢印Ａで示されるルアー１の前後方向と鋭角で交差するように図の下方へやや傾斜しながら延びている。また、その前端部６には、ボディー２を魚に見立てるための目玉１４が画かれている。リップ３は、板状体３ａからなるもので、ボディー２の前後方向Ａと所要の角度で交差する長さ方向Ｐと、長さ方向Ｐに直交する厚さ方向Ｑと、長さ方向Ｐと厚さ方向Ｑとに直交する幅方向Ｒとを有し、幅方向Ｒへ旋回可能であって、旋回したリップ３の例が仮想線で示されている。なお、ルアーフィッシングの愛好者には周知であるように、リップ３の長さ方向Ｐが前後方向Ａと交差する角度の大きさの決定は、ルアー１を水中深く潜らせるか否かによって決められる設計的事項である。
【００２０】
図２，３は、図１のリップ３をその幅方向Ｒにおいて二等分するＩＩ−ＩＩ線に沿ってルアー１を縦に切断したときの断面図と、図２におけるルアー１のＩＩＩ−ＩＩＩ線矢視図である。ボディー２には、前端部６に開口１６を有する溝部２１が形成され、溝部２１はリップ３を挟んで対向する一対の側壁２８，２９と開口１６の奥に位置する底２２とを有する。リップ３は、前端部６からボディー２の外側へ延びる前方部分２３と、溝部２１に進入するようにボディー２の内側へ延びる後方部分２４とを有する。後方部分２４には、長さ方向Ｐへ延びる長孔２６が形成されている（図３参照）。長孔２６は、前端３１と後端３２とを有し、前端３１では長孔２６を貫通して厚さ方向Ｑへ延びる支軸２７が溝部２１をまたぎ、支軸２７の上下両端部２７ａ，２７ｂそれぞれが溝部２１の側壁２８，２９のそれぞれに固定されている。長孔２６では、後端３２と支軸２７との間にコイルばね３３が圧縮状態で介在し、リップ３を前方部分２３から後方部分２４へ向かう方向へ、換言するとボディー２における溝部２１の底２２へ向かう方向へ付勢している。リップ３の後方部分２４は、長さ方向Ｐにおける後端２４ａに後方に向かって突出する１つ乃至複数の凸部４１を有し、その凸部４１は、リップ３の幅を二等分する中心線Ｃに関して対称に形成されている。ボディー２は、溝部２１の底２２にリップ３の凸部４１が離脱可能に嵌合する複数の凹部４２を有し、図３におけるボディー２の上下方向の寸法、すなわちボディー２の幅を二等分している中心線Ｄに関して対称に形成されている。図３において、その中心線Ｄはリップ３の中心線Ｃと一致している。
【００２１】
さらに図３において、リップ３は、中心線Ｃ上に位置する凸部４１がボディー２の中心線Ｄ上に位置する凹部４２に嵌合している。この状態にあるリップ３は、ボディー２に対して動くことがないように係合した状態にあるが、前方部分２３を指先で摘んで前方Ｈへ引張ると、長孔２６の後端３２と支軸２７との間に介在するばね３３を圧縮しながら前方へ動き、凸部４１がボディー２の凹部４２から離脱して、リップ３は仮想線４３で示される位置にまで移動する。かような状態のリップ３は、支軸２７を中心に矢印Ｍおよび矢印Ｎ方向へ旋回可能な状態にあって、摘んだ前方部分２３が例えば図の上方へ向かうように矢印Ｍ方向へ角度αだけ旋回させてから指先を離すと、ばね３３の復元力によって、凸部４１がボディー２の中心線Ｄから図の下方へ偏倚した位置にある、例えば凹部４２ａに嵌合して仮想線４４で示される旋回した位置に固定される。また、リップ３は、仮想線４３で示される位置から図の下方へ向かうように矢印Ｎ方向へ旋回させることも可能で、そのように旋回させてから指先を離すと、凸部４１が、ばね３３の復元力によって、ボディー２の中心線Ｄから図の上方に偏倚した位置にある、例えば凹部４２ｂに進入して仮想線４６で示される旋回した位置に固定される。リップ３の旋回角度を規制可能なボディー２所定部位に対するリップ３の係合がこのように凸部４１の凹部４２に対するばね付勢下の嵌合によってなされているルアー１では、使用中におけるリップ３の旋回を確実に防ぐことができる。
【００２２】
図示例のルアー１では、このように凸部４１の嵌合相手となる複数の凹部４２のうちのどれを選ぶかによって、ボディー２の中心線Ｄとリップ３の中心線Ｃとの交差角度α、すなわちリップ３の旋回角度を所定量だけ変化させることができる。ただし、この発明に係るルアー１では、その角度αを規制するための凸部４１と凹部４２との個数は、図示例の他に、凸部４１を複数にして凹部４２を単数にしたり、凸部４１と凹部４２とを複数にしたりすることができる。また、リップ３に凹部を設ける一方、ボディー２に凸部を設けて、これら両部を離脱可能に係合させることもできる。なお、この発明において、図示例の角度αには格別の制約がない。
【００２３】
図４は、実施態様の一例を示す図３と同様な図である。図示例のボディー２では、溝部２１の底２２にばね収容部５１が形成されている。収容部５１には、底２２から前方へ突出する可動凸部５２と、この可動凸部５２を前方へ付勢するコイルばね５３とが収容されている。リップ３は、支軸２７を介して、ボディー２に旋回可能に支えられている。そのリップ３の後端２４ａには、中心線Ｃの上と、支軸２７において中心線Ｃと角度αで交差する一対の直線Ｅ１とＥ２との上に凹部５４が形成されている。これら凹部５４は、支軸２７を中心とする同一円周上にあって、リップ３を支軸２７を中心に図の矢印Ｍまたは矢印Ｎ方向へ旋回させると、可動凸部５２がリップ３の後端２４ａに押されてばね５３の付勢に抗して一時的に後退し、次いでばね５３の復元力によって直線Ｅ２または直線Ｅ１の上の凹部５４に進入するので、リップ３をボディー２の中心線Ｄに対して所定の角度、すなわち角度αだけ傾けて固定することができる。
【００２４】
図５，６もまた、この発明の実施態様の一例を示す図２，３と同様な図であるが、図６は図５のＶＩ−ＶＩ線矢視図である。図５において、ボディー２には、リップ３の厚さ方向Ｑへ延びるばね収容部６１が形成され、そのばね収容部６１には、溝部２１の側壁２８からリップ３に向かって突出する可動凸部６２と、可動凸部６２をその突出方向へ付勢するコイルばね６３とが収容され、ばね収容部６１の頂部開口６４に雄ねじ６６が螺合している。リップ３は、支軸２７によって旋回可能に支えられており、その支軸２７の上端部２７ａがボディー２の外面にまで延びている。可動凸部６２と向かい合うリップ３の上面６７には、中心線Ｃの上と、支軸２７において中心線Ｃと角度αで交差する一対の直線Ｅ１とＥ２との上に凹部６８が形成されている。図５，６では、可動凸部６２がばね６３の付勢下に中心線Ｃの上の凹部６８に嵌合することによって、リップ３がボディー２に固定されている。これら凹部６８は、支軸２７を中心とする同一円周上にあって、リップ３を支軸２７を中心に矢印Ｍまたは矢印Ｎ方向へ旋回させると、可動凸部６２がリップ３の上面６７に押されてばね６３の付勢に抗して一時的に後退し、次いで直線Ｅ１の上または直線Ｅ２の上の凹部６８にばね６３の付勢下に嵌合するので、リップ３をボディー２の中心線Ｄに対して角度αだけ傾けて固定することができる。
【００２５】
図５，６に例示のルアー１では、ボディー２に対してリップ３を次のようにして取り付けることができる。ボディー２には、リップ３の厚さ方向Ｑへ延びるばね収容部６１と支軸２７を挿入するための穴６９とが予め形成されている。そのようなボディー２の溝部２１にリップ３の板状体３ａを挿入し、次にボディー２の外側から支軸２７を穴６９に挿入するとともに板状体３ａに形成されている透孔７１に通す。また、可動凸部６２とばね６３とをばね収容部６１に収めて雄ねじ６６をばね収容部６１の頂部開口６４に螺合させてばね収容部６１を閉じるとともに、可動凸部６２を溝部２１に突出させてリップ３の凹部６８に嵌合させる。雄ねじ６６は、ばね収容部６１の上下方向である方向Ｑへ移動可能であって、ボディー２の外側からドライバー(図示せず)を使用してばね収容部６１における雄ねじ６６の位置を変化させることによって、雄ねじ６６によるコイルばね６３の圧縮の程度を調整することができる。
【００２６】
図７もまた、この発明の実施態様の一例を示す図５と同様な図である。このルアー１のリップ３は、図５のそれと異なるものであって凹部６８が形成されておらず、上面３ａが平滑面を成している。可動凸部６２は、その平滑な上面３ａに圧接している。リップ３は、可動凸部６２が圧接することによって、ルアー１の使用中に徒に旋回するということはないが、リップ３の前方部分２３を摘み、可動凸部６２が圧接する強さに優る強い力を支軸２７の周り方向へ加えることによって、所要の角度だけ旋回させることができる。このルアー１では、ボディー２の中心線Ｄ(図６参照)に対するリップ３の傾きを連続的に変化させることができる。また、可動凸部６２が圧接する強さは、雄ねじ６６によって調整することができる。
【産業上の利用可能性】
【００２７】
この発明によれば、ボディーに対してリップを旋回させることが可能なルアーの生産が可能になる。
【図面の簡単な説明】
【００２８】
【図１】ルアーの斜視図。
【図２】図１のルアーのＩＩ−ＩＩ線に沿った縦断面図。
【図３】図２におけるＩＩＩ−ＩＩＩ線矢視図。
【図４】実施態様の一例を示す図３と同様な図。
【図５】実施態様の一例を示す図２と同様な図。
【図６】図５におけるＶＩ−ＶＩ線矢視図。
【図７】実施態様の一例を示す図５と同様な図。
【符号の説明】
【００２９】
１    ルアー
２    ボディー
３    リップ
６    前端部
９    後端部
２１    溝部
２２    底
２３    前方部分
２４    後方部分
２７    支軸
２８    壁
２９    壁
３３    ばね
４１    凸部
４２    凹部
５２    凸部（可動凸部）
５３    ばね
５４    凹部
６２    凸部(可動凸部)
６３    ばね
６４    凹部
α    角度
【図１】
2005192505.tif 000003
【図２】
2005192505.tif 000004
【図３】
2005192505.tif 000005
【図４】
2005192505.tif 000006
【図５】
2005192505.tif 000007
【図６】
2005192505.tif 000008
【図７】
2005192505.tif 000009